(57)【要約】      （修正有）【課題】電気モータを動作させる適切な正弦波形を発生させること。【解決手段】自動車両ワイパーシステムのための、特にブラシレスタイプの直流電気モータに関し、電気モータは、固定子と回転子とを備え、固定子は、回転子の電磁励起のための複数のコイルを含み、回転子は、回転軸線を中心として回転運動を行うように取り付けられるとともに、少なくとも二対の両極を有する多極磁石Ｎ１，Ｎ２，Ｎ３，Ｓ１，Ｓ２，Ｓ３を含み、少なくとも３つの極の各々は、回転軸線に直交する平面において、少なくとも２つの他の極の幅とは異なる幅Ｌ１，Ｌ２，Ｌ３を有し、および／または同一の極性を含む３つの極は、角度がずらされている。【選択図】図２
2019106877.tif 000002
【特許請求の範囲】
【請求項１】
自動車両ワイパーシステムのための、特にブラシレスタイプの直流電気モータであって、
固定子（２）と回転子（３）とを備え、
前記固定子（２）は、前記回転子（３）の電磁励起のための複数のコイル（４）を含み、
前記回転子（３）は、回転軸線（Ｌ）を中心とした回転運動を行うように取り付けられるとともに、少なくとも二対の両極を有する多極磁石（５）を含み、
少なくとも３つの極の各々は、前記回転軸線に直交する平面（Ｐ）において、前記少なくとも２つの他の極の幅とは異なる幅を有し、および／または同一の極性を含む３つの極は、角度がずらされている、電気モータ。
【請求項２】
三対の両極（Ｎ１、Ｓ１、Ｎ２、Ｓ２、Ｎ３、Ｓ３）を含む、請求項１に記載の電気モータ。
【請求項３】
各極は、前記多極磁石が、対称軸線が前記回転軸線（Ｌ）と一致するシリンダ内に収容され、各極が前記回転軸線に直交する平面において、角度セクタ（Ａ１、Ａ２、Ａ３）を画定するように構成され、
少なくとも３つの角度セクタ（Ａ１、Ａ２、Ａ３）は、互いに異なっている、請求項１または２に記載の電気モータ。
【請求項４】
各対の２つの前記両極は、互いに対向して配置され、前記回転軸線（Ｌ）に直交する平面（Ｐ）において、正反対の態様で位置付けられている、請求項１乃至３のいずれか一項に記載の電気モータ。
【請求項５】
各対の２つの前記両極は、前記回転軸線（Ｌ）に直交する平面（Ｐ）において、同一の幅を有する、請求項１乃至４のいずれか一項に記載の電気モータ。
【請求項６】
三対の両極を含み、各対の２つの前記両極は、前記回転軸線（Ｌ）に直交する平面（Ｐ）において、同一の角度値を有する角度セクタを画定する、請求項１に記載の電気モータ。
【請求項７】
第１の対の前記角度セクタは、３０°と３９°との間の角度を有し、
第２の対の前記角度セクタは、４０°と４９°との間の角度を有し、
第３の対の前記角度セクタは、５０°と５９°との間の角度を有する、請求項６に記載の電気モータ。
【請求項８】
請求項１乃至７のいずれか１項に記載の電気モータを備える、自動車両ワイパーシステム。
【発明の詳細な説明】
【技術分野】
【０００１】
本発明は、自動車両ワイパーシステムのための、好ましくはブラシレスタイプの直流電気モータに関する。
【背景技術】
【０００２】
このような電気モータは、主に回転子と固定子とを備えていることが知られている。
【０００３】
一般に、固定子は、回転子の電磁励起のための複数のコイルを含み、回転子は多極磁石を含んでいる。
【０００４】
電気モータは、コイルに電流が供給されたときに磁場が生成され、回転軸線を中心とした多極磁石の回転運動を生じるように構成されている。
【発明の概要】
【発明が解決しようとする課題】
【０００５】
知られた態様では、電気モータは、正弦波のコイル供給電圧で動作するように設計されており、これは、正弦波形状を有する逆起電力の発生を必要とする。
【０００６】
特に、コイルの集中により、適切な正弦波形状を発生させることは困難である。
【０００７】
本発明の目的は、この状況を改善することである。
【課題を解決するための手段】
【０００８】
この目的のために、本発明は、自動車両ワイパーシステムのための、特にブラシレスタイプの直流電気モータに関し、電気モータは、固定子と回転子とを備え、固定子は、回転子の電磁励起のための複数のコイルを含み、回転子は、回転軸線を中心とした回転運動を行うように取り付けられるとともに、少なくとも二対の両極を有する多極磁石を含み、少なくとも３つの極の各々は、回転軸線に直交する平面において、少なくとも２つの他の極の幅とは異なる幅を有し、および／または同一の極性を含む３つの極は、角度がずらされている。
【０００９】
従って、発生した電磁力は、集中したコイルにもかかわらず理想的な曲線に近い形状をとる。
【００１０】
本発明の別の特徴によれば、モータは三対の両極を含む。
【００１１】
本発明の別の特徴によれば、各極は、多極磁石が、対称軸線が回転軸線と一致するシリンダ内に収容され、各極が回転軸線に直交する平面において、角度セクタを画定するように構成され、少なくとも３つの角度セクタは、互いに異なっている。
【００１２】
本発明の別の特徴によれば、各対の２つの両極は、互いに対向して配置され、回転軸線に直交する平面において、正反対の態様で位置付けられている。
【００１３】
本発明の別の特徴によれば、各対の２つの両極は、回転軸線に直交する平面において、同一の幅を有する。
【００１４】
本発明の別の特徴によれば、モータは、三対の両極を含み、各対の２つの両極は、回転軸線に直交する平面において、同一の角度値を有する角度セクタを画定する。
【００１５】
本発明の別の特徴によれば、第１の対の角度セクタは、３０°と３９°との間の角度を有し、第２の対の角度セクタは、４０°と４９°との間の角度を有し、第３の対の角度セクタは、５０°と５９°との間の角度を有する。
【００１６】
本発明はまた、上述したような電気モータを備える、自動車両ワイパーシステムに関する。
【００１７】
本発明の更なる特徴および利点は、以下に提供される説明を読むことから明らかになるであろう。この説明は単に例示的なものであり、添付図面を参照して読まれるべきである。
【図面の簡単な説明】
【００１８】
【図１】図１は、本発明による電気モータを示す斜視図である。
【図２】図２は、本発明の第１の実施形態による、図１の回転子を示す断面図である。
【図３】図３は、本発明の第２の実施形態による、図１の回転子を示す断面図である。
【図４】図４は、本発明の第２の実施形態による、図１の回転子を示す断面図である。
【発明を実施するための形態】
【００１９】
電気モータ
本発明は、図１において符号１で示された、自動車両ワイパーシステムのための、好ましくはブラシレスタイプの直流電気モータに関する。
【００２０】
図１に示すように、電気モータ１は、回転子２と固定子３とを備えている。
【００２１】
固定子３は、回転子２の電磁励起のための複数のコイル４を含んでいる。
【００２２】
回転子２は、符号Ｌで示された回転軸線を中心とした回転運動を行うように取り付けられた多極磁石５を含んでいる。
【００２３】
電気モータ１は、回転子２が固定子３の内側で回転するように構成されており、これにより、多極磁石５と一体の駆動軸６の回転が生じるようになっている。
【００２４】
駆動軸６は、回転軸線Ｌに沿って延びている。
【００２５】
多極磁石５は、少なくとも二対の両極７を有している。
【００２６】
回転子位置センサ、例えばホール効果センサ９は、固定子３のコイルの電力供給が切り替えられることを可能にする。
【００２７】
図示された実施形態では、多極磁石５は、それぞれ符号Ｎ１、Ｓ１、Ｎ２、Ｓ２、およびＮ３、Ｓ３で示された三対のＮ極、Ｓ極を含んでいる。
【００２８】
各極は、例えば磁性材料の棒体である。
【００２９】
各棒体は、より詳細には後述するように、好ましくは面取りされている。
【００３０】
極は、対称軸線が回転軸線Ｌと一致する回転シリンダＣを画定している。
【００３１】
したがって、図２および図３に示すように、極Ｎ１乃至Ｓ３は、回転軸線Ｌに直交する平面Ｐにおいて、円Ｃ’を画定している。
【００３２】
本発明は、図２の実施形態を参照して説明されるであろう。
【００３３】
この実施形態によれば、少なくとも３つの極の各々は、回転軸線に直交する平面Ｐにおいて、少なくとも２つの他の極の幅とは異なる幅を有している。
【００３４】
直交平面Ｐは、有利には、回転シリンダＣの中心を通っている。
【００３５】
「幅」は、円Ｃ’の中心Ｉからの所定の距離における寸法を意味するものと理解される。
【００３６】
既に示したように、異なる幅のため、発生する起電力は従来技術よりも滑らかな正弦波になる。
【００３７】
別の利点は、ノイズを発生する固定子スロットと、極のエッジとが一斉に一致することがないことである。
【００３８】
図２に示す実施形態では、同一の対の両極は、第１の対についてはＬ１、第２の対についてはＬ２、第３の対についてはＬ３で示される同一の幅を有している。
【００３９】
図２に示すように、幅Ｌ１、Ｌ２およびＬ３は互いに異なっている。
【００４０】
また、図２に示すように、同一の対の極は、互いに対向して延び、平面Ｐにおいて正反対に位置付けられている。
【００４１】
同じ極性を含む３つの磁石は、１２０°の基準点を中心とすることに留意されたい。
【００４２】
既に述べたように、各極は面取りされた棒体である。
【００４３】
したがって、平面Ｐにおいて、各極は、Ａ−Ｎ１、Ａ−Ｓ１、Ａ−Ｎ２、Ａ−Ｓ２、Ａ−Ｎ３およびＡ−Ｓ３で示される角度セクタを画定している。
【００４４】
好ましくは、少なくとも３つの角度セクタは、互いに異なっている。
【００４５】
有利には、同一の対における両極の角度セクタは同一である。
【００４６】
この場合、第１の角度セクタと称される、各々の極Ｎ１、Ｓ１によって画定される角度セクタは、３０°と３９°との間の角度を有している。第２の角度セクタと称される、各々の極Ｎ２、Ｓ２によって画定される角度セクタは、４０°と４９°との間の角度を有している。第３の角度セクタと称される、各々の極Ｎ３、Ｓ３によって画定される角度セクタは、５０°と５９°との間の角度を有している。
【００４７】
好ましくは、第１の角度セクタは約３８°の角度を有し、第２の角度セクタは約４８°の角度を有し、第３の角度セクタは約５８°の角度を有している。
【００４８】
図３および図４に示す別の実施形態によれば、同じ極性を含む磁石の３つの側面は、全て１２０°で配置されるのではなく、角度がずらされている。
【００４９】
この場合、好ましくは、磁石は、同一の幅を有している。
【００５０】
図３では、磁石Ｎ１、Ｓ１を基準点とすると、一対の磁石Ｎ２、Ｓ２は、矢印Ｆ’方向に（Ｓ２の場合）５°ずらされており、Ｎ３、Ｓ３の対は、矢印Ｆの方向に（Ｎ３の場合）５°ずらされている。
【００５１】
図４では、磁石Ｎ１、Ｓ１を基準点とすると、一対の磁石Ｎ２、Ｓ２は、矢印Ｆ’方向に（Ｓ２の場合）５°ずらされており、Ｎ３、Ｓ３の対は、矢印Ｆの方向に（Ｎ３の場合）５°ずらされている。
【００５２】
角度のずれは、ノイズを発生する固定子スロットと、極のエッジとが一斉に一致することがないことを保証する。
【００５３】
説明された２つの実施形態が組み合わせられ得ることに留意されたい。
【００５４】
例えば、各極Ｎ１、Ｓ１が５０°の幅を有し、各極Ｎ２、Ｓ２およびＮ３、Ｓ３が４０°の幅を有し、角度が１５°ずらされていてもよい。
【図１】
2019106877.tif 000003
【図２】
2019106877.tif 000004
【図３】
2019106877.tif 000005
【図４】
2019106877.tif 000006
【外国語明細書】
2019106877000001.pdf